【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
ａ）ポリマー材
ｂ）光互変染料及び
ｃ）式Ｉ、ＩＩ、ＩＩＩ、ＩＶ、Ｖ又は（１００）
【化１】
2007507569.tif 000001
【化２】
2007507569.tif 000002
［式中、
Ｙは、フェニル基、ナフチル基、又は１ないし３個の炭素原子数１ないし６のアルキル基により、ハロゲン原子により、ヒドロキシ基により又は炭素原子数１ないし６のアルコキシ基により又はそれらの混合により置換された前記フェニル基又は前記ナフチル基を表すか、或いはＹはＺ1又はＺ2を表し；
ＸはＺ1又はＺ2を表し；
Ｒ1は、水素原子、直鎖状の又は枝分れ状の炭素原子数１ないし２４のアルキル基、炭
素原子数５ないし１２のシクロアルキル基、炭素原子数７ないし１５のフェニルアルキル基、ハロゲン原子、−ＳＲ3、−ＳＯＲ3又は−ＳＯ2Ｒ3を表すか；又は１ないし３個のハロゲン原子、−Ｒ4、−ＯＲ5、−Ｎ（Ｒ5）2、−ＣＯＲ5、−ＣＯＯＲ5、−ＯＣＯＲ5、
−ＣＮ、 −ＮＯ2、−ＳＲ5、−ＳＯＲ5、−ＳＯ2Ｒ5又は−Ｐ（Ｏ）（ＯＲ5）2、モルホリニル基、ピペリジニル基、２，２，６，６−テトラメチルピペリジニル基、ピペラジニル基又はＮ−メチル−ピペリジニル基又はそれらの組み合わせにより置換された前記アルキル基、前記シクロアルキル基又は前記フェニルアルキル基；又は１ないし４個のフェニレン基、−Ｏ−、ＮＲ5−、−ＣＯＮＲ5−、ＣＯＯ−、−ＯＣＯ−又は−ＣＯ基又はそれらの組み合わせにより中断された前記アルキル基又は前記シクロアルキル基；又は上述の基の組み合わせにより置換及び中断された前記アルキル基又は前記シクロアルキル基を表し；
Ｒ3は、炭素原子数１ないし２０のアルキル基、炭素原子数３ないし１８のアルケニル
基、炭素原子数５ないし１２のシクロアルキル基、炭素原子数７ないし１５のフェニルアルキル基、炭素原子数６ないし１０のアリール基或いは１個又は２個の炭素原子数１ないし４のアルキル基により置換された前記アリール基を表し；
Ｒ4は、炭素原子数６ないし１０のアリール基又は１ないし３個のハロゲン原子、炭素
原子数１ないし８個のアルキル基、炭素原子数１ないし８個のアルコキシ基又はそれらの組み合わせにより置換された前記アリール基；炭素原子数５ないし１２のシクロアルキル基；炭素原子数７ないし１５のフェニルアルキル基又はフェニル環において１ないし３個のハロゲン原子、炭素原子数１ないし８のアルキル基、炭素原子数１ないし８のアルコキシ基又はそれらの組み合わせにより置換された前記フェニルアルキル基；或いは直鎖状又は枝分れ状の炭素原子数２ないし１８のアルケニル基を表し；
Ｒ5は、Ｒ4の定義と同様であるか；又はＲ5はまた、水素原子或いは直鎖状又は枝分れ
状の炭素原子数１ないし２４のアルキル基、炭素原子数２ないし２４のアルケニル基を表すか；又はＲ5は、式
【化３】
2007507569.tif 000003
（式中、
Ｔは、水素原子、オキシル基、ヒドロキシル基、−ＯＴ1、炭素原子数１ないし２４の
アルキル基、１ないし３個のヒドロキシ基により置換された前記アルキル基；ベンジル基又は炭素原子数２ないし１８のアルカノイル基を表し；
Ｔ1は、炭素原子数１ないし２４のアルキル基、炭素原子数５ないし１２のシクロアル
キル基、炭素原子数２ないし２４のアルケニル基、炭素原子数５ないし１２のシクロアルケニル基、炭素原子数７ないし１５のフェニルアルキル基、炭素原子数７ないし１２の飽和又は不飽和二環式又は三環式炭化水素の基又は炭素原子数６ないし１０のアリール基又は１ないし３個の炭素原子数１ないし４のアルキル基により置換された前記アリール基を表す。）
で表される基を表し；
Ｒ2は、水素原子、直鎖状又は枝分れ状の炭素原子数１ないし２４のアルキル基又は炭
素原子数５ないし１２のシクロアルキル基；又は１ないし４個のハロゲン原子、エポキシ基、グリシジルオキシ基、フリルオキシ基、−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、−ＣＮ、−ＮＣＯ又は
【化４】
2007507569.tif 000004
又はそれらの組み合わせにより置換された前記アルキル基又は前記シクロアルキル基；又は１ないし４個のエポキシ基、−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレン基又はフェニレン−Ｇ−フェニレン基（式中、Ｇは、−Ｏ−、−Ｓ−、−ＳＯ2−、−ＣＨ2−又は−Ｃ（ＣＨ3）2−を表す。）又はそれらの組み合わせにより中断された前記アルキル基又は前記シクロアルキル基、或いは上述の基の組み合わせにより置換及び中断された前記アルキル基又は前記シクロアルキル基を表すか；又はＲ2は、−ＳＯ2Ｒ3又は−ＣＯＲ6を表し；
Ｒ6は、直鎖状又は枝分れ状の炭素原子数１ないし１８のアルキル基、直鎖状又は枝分
れ状の炭素原子数２ないし１２のアルケニル基、フェノキシ基、炭素原子数１ないし１２のアルキルアミノ基、炭素原子数６ないし１２のアリールアミノ基、−Ｒ7ＣＯＯＨ又は
−ＮＨ−Ｒ8−ＮＣＯを表し；
Ｒ7は、炭素原子数２ないし１４のアルキレン基又はフェニレン基を表し；
Ｒ8は、炭素原子数２ないし２４のアルキレン基、フェニレン基、トリレン基、ジフェ
ニルメタン基又は基
【化５】
2007507569.tif 000005
を表し；
Ｒ1及びＲ1’は、同じであるか又は異なり、及びＲ1に対して定義されたとおりであり
；
Ｒ2及びＲ2’は、同じであるか又は異なり、及びＲ2に対して定義されたとおりであり
；
Ｘ及びＸ’は、同じであるか又は異なり、及びＸに対して定義されたとおりであり；Ｙ及びＹ’は、同じであるか又は異なり、及びＹに対して定義されたとおりであり；
ｔは０ないし９であり；
Ｌは、直鎖状又は枝分れ状の炭素原子数１ないし１２のアルキレン基、炭素原子数５ないし１２のシクロアルキレン基或いはシクロヘキシレン基又はフェニレン基により置換されたか又は中断されたアルキレン基を表すか；又はＬはベンジリデン基を表すか；又はＬは、−Ｓ−、−Ｓ−Ｓ−、−Ｓ−Ｅ−Ｓ−、−ＳＯ−、−ＳＯ2−、−ＳＯ−Ｅ−ＳＯ−
、−ＳＯ2−Ｅ−ＳＯ2−、−ＣＨ2−ＮＨ−Ｅ−ＮＨ−ＣＨ2又は
【化６】
2007507569.tif 000006
を表し；
Ｅは、炭素原子数２ないし１２のアルキレン基、炭素原子数５ないし１２のシクロアルキレン基又は炭素原子数５ないし１２のシクロアルキレン基により中断されたか又は末端化されたアルキレン基を表し；
ｎは２、３又は４であり；
ｎが２である場合；Ｑは、直鎖状又は枝分れ状の炭素原子数２ないし１６のアルキレン基；又は１ないし３個のヒドロキシ基により置換された前記アルキレン基；又は１ないし３個の−ＣＨ＝ＣＨ−又は−Ｏ−により中断された前記アルキレン基；又は上述の基の組み合わせにより置換され及び中断された前記アルキレン基を表すか；又はＱは、キシリレン基又は基−ＣＯＮＨ−Ｒ8−ＮＨＣＯ−、−ＣＨ2ＣＨ（ＯＨ）ＣＨ2Ｏ−Ｒ9−ＯＣＨ2
ＣＨ（ＯＨ）ＣＨ2−、−ＣＯ−Ｒ10−ＣＯ−、又は−（ＣＨ2）m−ＣＯＯ−Ｒ11−ＯＯ
Ｃ−（ＣＨ2）m−（式中、ｍは１ないし３である。）を表すか；又はＱは、
【化７】
2007507569.tif 000007
を表し；
Ｒ9は、炭素原子数２ないし５０のアルキレン基；又は１ないし１０個の−Ｏ−、フェ
ニレン基又は基−フェニレン−Ｇ−フェニレン基（式中、Ｇは、−Ｏ−、−Ｓ−、−ＳＯ2−、−ＣＨ2−又は−Ｃ（ＣＨ3）2−を表す。）により中断された前記アルキレン基を表し；
Ｒ10は、炭素原子数２ないし１０のアルキレン基、又は１ないし４個の−Ｏ−、−Ｓ−又は−ＣＨ＝ＣＨ−により中断された前記アルキレン基を表すか；又はＲ10は、炭素原子数６ないし１２のアリーレン基を表し；
Ｒ11は、炭素原子数２ないし２０のアルキレン基又は１ないし８個の−Ｏ−により中断された前記アルキレン基を表し；
ｎが３である場合、Ｑは、基−［（ＣＨ2）mＣＯＯ］3−Ｒ12（式中、ｍは１ないし３
であり、及びＲ12は炭素原子数３ないし１２のアルカントリイル基を表す。）を表し；
ｎが４である場合、Ｑは、基−［（ＣＨ2）mＣＯＯ］4−Ｒ13（式中、ｍは１ないし３
であり、及びＲ14は炭素原子数４ないし１２のアルカンテトライル基を表す。）を表し；
Ｚ1は、式
【化８】
2007507569.tif 000008
で表される基を表し；
Ｚ2は、式
【化９】
2007507569.tif 000009
（式中、ｒ1及びｒ2は１である。）
で表される基を表し；
Ｒ14、Ｒ15、Ｒ16、Ｒ17、Ｒ18、Ｒ19、Ｒ20、Ｒ21、Ｒ22及びＲ23は、互いに独立して、水素原子、ヒドロキシ基、シアノ基、炭素原子数１ないし２０のアルキル基、炭素原子数１ないし２０のアルコキシ基、炭素原子数７ないし１５のフェニルアルキル基、炭素原子数５ないし１２のシクロアルキル基、炭素原子数５ないし１２のシクロアルコキシ基、ハロゲン原子、炭素原子数１ないし５のハロアルキル基、スルホ基、カルボキシ基、炭素原子数２ないし１２のアシルアミノ基、炭素原子数２ないし１２のアシルオキシ基、炭素原子数２ないし１２のアルコキシカルボニル基又はアミノカルボニル基を表すか；或いはＲ17とＲ18又はＲ22とＲ23は、それらが結合されるフェニル基と一緒に、１ないし３個の−Ｏ−又は−ＮＲ5−により中断された環状基を表し；
ｘ2は１ないし５０の数であり；
Ａ1は式（１０１）
【化１０】
2007507569.tif 000010
で表される基を表すか、又はＴ10に対して与えられた意味の１つを有し；
Ｄ1は、炭素原子数４ないし１２のアルキレン基又はＯＨにより置換されたか又はＯに
より中断されたか又はＯＨにより置換され且つＯにより中断された前記アルキレン基を表し；
Ｌ1は、炭素原子数１ないし１８のアルキレン基；炭素原子数５ないし１２のシクロア
ルキレン基；炭素原子数３ないし１８のアルケニレン基；又はフェニル基、炭素原子数７ないし１１のアルキルフェニル基、炭素原子数５ないし１２のシクロアルキル基、ＯＨ、ハロゲン原子、炭素原子数１ないし１８のアルコキシ基、炭素原子数５ないし１２のシクロアルコキシ基、炭素原子数３ないし１８のアルケニルオキシ基、ＣＯＯＨにより置換された前記基の１つを表し；
Ｒ50は、互いに独立して、Ｈ、ＯＲ54又はＯＨを表すが、但し、Ｒ50又はＲ53のうちの少なくとも１つはＯＨを表し；
Ｒ54は、互いに独立して、水素原子、炭素原子数１ないし１２のアルキル基又は式−Ｌ1−ＣＯ−Ｏ−Ｒ55を表し；
Ｒ55は、Ｈ、炭素原子数１ないし１８のアルキル基、炭素原子数２ないし１２のヒドロキシアルキル基を表し；
Ｒ51は、水素原子、炭素原子数１ないし４のアルキル基、Ｃｌ、フェニル基又は基−ＯＲ54を表し；
Ｒ52は、水素原子又はメチル基を表し；
Ｒ53は、水素原子、メチル基、ＯＨ又はＯＲ54を表し；及び
Ｔ10は、炭素原子数１３ないし６０の脂肪族又は脂環式ジカルボン酸の２価アシル残基を表す。］で表され、
並びに、少なくとも１個の式（１０１）部分及び少なくとも１個のＴ10部分を含むヒドロキシフェニルトリアジンＵＶ吸収剤（ｉ）
を含む光互変組成物。
【請求項２】
ａ）ポリマー材であって、
ｂ）光互変染料及び
ｃ）ｉ）ヒドロキシフェニルトリアジンＵＶ吸収剤及び
ｉｉ）立体障害性アミンより選択される少なくとも１種の他の光安定剤
との安定剤組合せ
を含有するもの
を含む、請求項１に記載の組成物。
【請求項３】
光学装置、建築用又は車両用透明板ガラス、温室用フィルム、コーティング、又は構造要素、特に眼科用レンズである、請求項１及び２のうちいずれか１項に記載の組成物。
【請求項４】
前記ＵＶ吸収剤（ｉ）が光互変染料を含まない上層において富むとともに、下層が前記染
料（ｂ）及び所望により前記立体障害アミン（ｉｉ）を含むところの、２層系又は多層系である、請求項１ないし３のうちいずれか１項に記載の組成物。
【請求項５】
成分（ｄ）として、抗酸化剤、ホスフィット及びホスホナイト、加工安定剤、充填材、顔料、染料、透明剤、変性剤、酸掃去剤、難燃剤、他の光安定剤より選択される他の添加剤少なくとも一種を含む、請求項１ないし４のうちいずれか１項に記載の組成物。
【請求項６】
ポリマーマトリックス中に光互変染料を含む光互変系を、光照射により誘発される退色に対して安定化する方法であって、該方法は、請求項１に記載の通りのヒドロキシフェニルトリアジンＵＶ吸収剤（ｉ）及び所望により立体障害性アミン光安定剤の前記ポリマーマトリックスへの及び／又は該ポリマーマトリックスを覆うポリマー層への配合よりなる方法。